(57)【特許請求の範囲】
【請求項１】
少なくとも１つの電池を取り外し可能に保持する電池カートリッジを有する懐中電燈であって、
前記電池カートリッジは、前記懐中電燈のケース内に差し込み可能であり、前記電池カートリッジは、スイッチを有し、前記懐中電燈の端部材に取り外し可能に接続可能であり、前記端部材と前記懐中電燈の前記ケースとが取り外し接続可能であり、前記端部材は、押しボタンを有し、前記電池カートリッジ内に組み込まれた前記スイッチが、前記押しボタンによって操作可能であることを特徴とする懐中電燈。
【請求項２】
前記スイッチは、プレス・スイッチ又はプッシュ・スイッチであることを特徴とする請求項１に記載の懐中電燈。
【請求項３】
負極及び正極が、設けられている配線を通じて前記電池カートリッジ（１０）の前面に配置されていること、及び、前記スイッチは、前記電池カートリッジ（１０）の背面に配置されていることを特徴とする請求項１又は２に記載の懐中電燈。
【請求項４】
電力消費部、すなわちＬＥＤ（１４）が、当該両電極に接続可能であることを特徴とする請求項３に記載の懐中電燈。
【請求項５】
複数の電池（１１，１２）が、並列又は直列に接続されているように、設けられている前記配線が配置されていることを特徴とする請求項３又は４に記載の懐中電燈。
【請求項６】
前記端部材と前記懐中電燈の前記ケースとは、取り外し可能に連結可能であり、ねじ連結部が設けられていることを特徴とする請求項１〜５のいずれか１項に記載の懐中電燈。
【発明の詳細な説明】
【技術分野】
【０００１】
本発明は、懐中電燈に関する。
【背景技術】
【０００２】
懐中電燈は、多数の部品から構成されている。この場合、個々の要素が、異なる耐用期間を有する。懐中電燈の例えば接触子及びスイッチのような特に内部の要素は、例えば酸化及び電池の液漏れのような汚れによって導電性を失うので、これらの要素は、定期的に交換する必要がある。接触子、特に接触ばねのより良好な交換可能性に対して、ドイツ連邦共和国特許第１０３  １５  ４１１号明細書は、例えば電池を電池カートリッジ内に保持することを提唱する。接触子が汚れたか又は接触ばねが使い古された場合、電池カートリッジを簡単に交換することによって、懐中電燈の機能を回復することが可能である。
【０００３】
高価な懐中電燈は、一般に非常に丈夫で、したがって高価なケースを有する。多くの場合に後部材が、このケースの端面に取り付けられている。懐中電燈を操作するプッシュ・スイッチ又はプレス・スイッチが、この後部材内に組み込まれている。ドイツ連邦共和国特許第１０３  １５  ４１１号明細書中に開示されている懐中電燈も、このような端面に取り付けられたプッシュ・スイッチを有する。
【０００４】
プッシュ・スイッチを交換する時に、同時に高価なケースの一部も一緒に交換する必要があることが、この従来の技術の欠点である。このことは、多大なコストを招く。さらに接触子が、懐中電燈ケース内の手の届きにくい場所に配置されているので、これらの接触子の交換は手間がかかる。
【特許文献１】ドイツ連邦共和国特許第１０３  １５  ４１１号明細書
【発明の開示】
【発明が解決しようとする課題】
【０００５】
本発明の課題は、プッシュ・スイッチを端部キャップに関係なく交換することを可能にする懐中電燈を提供することにある。これによって、交換時に発生するコストが著しく低下する。
【課題を解決するための手段】
【０００６】
この課題は、少なくとも１つの電池を取り外し可能に保持する電池カートリッジを有する懐中電燈であって、前記電池カートリッジは、前記懐中電燈のケース内に差し込み可能であり、前記電池カートリッジは、スイッチを有し、前記懐中電燈の端部材に取り外し可能に接続可能であり、前記端部材と前記懐中電燈の前記ケースとが取り外し接続可能であり、前記端部材は、押しボタンを有し、前記電池カートリッジ内に組み込まれた前記スイッチが、前記押しボタンによって操作可能であることによって解決される。
【０００７】
電池のその他の構成は、従属請求項中に記載されている。
【０００８】
電池カートリッジの別の構成は、電池カートリッジが少なくとも１つの電池を収容できることを提唱する。この電池カートリッジに対しては、いろいろなその他の構造が提唱されている。すなわち、使用可能な電池の数が基本的に任意である。特に、１〜６個の電池が、電池カートリッジ内に収容され得る。この電池カートリッジの構造の場合、電気回路の種類も選択可能である。複数の電池が、電池カートリッジ内で電気的に直列に又は並列に接続され得る。しかしながら全ての実施形は、電池カートリッジがプレス・スイッチ又はプッシュ・スイッチを有する点で共通する。このプレス・スイッチ又はプッシュ・スイッチは、懐中電燈ケースの一部の中に組み入れられている簡単な押しボタンによって操作される。特にプッシュ・スイッチ又はプレス・スイッチは、電池カートリッジの端面に設けられている。この操作に必要な押しボタンが、懐中電燈ケースの端部キャップ内に組み込まれている。同様に電池カートリッジ内に組み込まれている電池の接触子が、電池カートリッジを交換することによって簡単に新しいものと交換され得る。このことは、懐中電燈の常に同じ品質を保証する。完全な後部材が、高価な材料から交換される必要がないので、特にプッシュ・スイッチの交換はほとんどコストがかからない。
【０００９】
電池カートリッジは、特に配線を有する。負極及び正極が、電池カートリッジの前面に配置されているように、この配線はレイアウトされている。このとき、小さい白熱電球又は特にＬＥＤが、これらの両極に接続され得る。全ての構成要素の固定した据付を保証するため、１つのねじ連結によって、電池カートリッジが端部キャップに取り外し可能に連結可能であって、かつ、この端部キャップが残りのケースに取り外し可能に連結可能であることが提唱されている。組み立てられた状態では、電池カートリッジが、ケース内に差し込まれている。
【００１０】
以下に、電池カートリッジの特別な構成を図面に基づいて説明する。
【発明を実施するための最良の形態】
【００１１】
図１ａ及び図１ｂは、本発明の電池カートリッジの２つの異なる実施の形態を示す。図１ａ中には、１つの小型電池（１１）を収容するために適している電池カートリッジ（１０）が示されている。図１ｂ中には、４つのボタン電池（１２）を収容するために適している電池カートリッジ（１０）が示されている。電池カートリッジ（１０）内に組み込まれているプッシュ・スイッチ（１３）が、両実施の形態の端面で見て取れる。これらの両実施の形態では、ＬＥＤ又は白熱電球（１４）が前面に示されている。
【００１２】
図２中には、本発明の電池カートリッジ（１０）が、投影図で示されている。この電池カートリッジ（１０）は、組み込まれたプッシュ・スイッチ（１３）及びＬＥＤ又は白熱電球（１４）を有する。この示された実施の形態は、４つのボタン電池を収容できる。図３は、図２と同様な実施の形態を示すものの、この電池カートリッジ（１０）は、１つの小型電池（１１）を収容するために設けられている。
【００１３】
図４中には、本発明の電池カートリッジ（１０）を収容するために適している懐中電燈（４１）が展開図で示されている。電池カートリッジ（１０）のプッシュ・スイッチが、懐中電燈（４１）の端部材（４３）内に組み込まれている押しボタン（４２）によって組み込まれた状態で操作され得る。電池カートリッジ（１０）のこの示された実施形は、懐中電燈（４１）が１つの小型電池（１１）によって点灯することを示す。図１ａ及びｂ中には、本発明の電池カートリッジ（１０）の２つの別の実施の形態が示されている。
【００１４】
図５は、電池カートリッジ（１０），端部材（４３）及び懐中電燈ケース（５１）を示す。この電池カートリッジ（１０）は、組み込まれたプッシュ・スイッチ（１３）を有する。組み込まれた押しスイッチ（４２）が、端部材（４３）に示されている。この示された実施の形態は、多数の小型電池（１１）が電池カートリッジ（１０）内に互いに平行に配置されている。この電池カートリッジ（１０）は、懐中電燈ケース（５１）内に差し込み可能である。これから、コンパクトな構造が、特に大きい懐中電燈に対して実現される。
【図面の簡単な説明】
【００１５】
【図１ａ】１つの電池を有する電池カートリッジの回路図である。
【図１ｂ】４つの電池を有する電池カートリッジの回路図である。
【図２】４つのボタン電池用の電池カートリッジを示す。
【図３】１つの小型電池用の電池カートリッジを示す。
【図４】１つの小型電池用の電池カートリッジを有する懐中電燈の展開図である。
【図５】電池カートリッジの別の実施形を、ねじで固定又は取り外し可能な端部キャップ及び懐中電燈ケースと共に展開図で示す。
【符号の説明】
【００１６】
１０  電池カートリッジ
１１  小型電池
１２  ボタン電池
１３  プッシュ・スイッチ
１４  白熱電球
４１  懐中電燈
４２  押しボタン
４３  後部材
５１  懐中電燈ケース
【図１ａ】
0005442218.tif 000002
【図１ｂ】
0005442218.tif 000003
【図２】
0005442218.tif 000004
【図３】
0005442218.tif 000005
【図４】
0005442218.tif 000006
【図５】
0005442218.tif 000007